(57)【特許請求の範囲】
【請求項１】
端子金具が収容される端子収容室が設けられた端子収容部と、
前記端子収容部に前方から装着されるフロントリテーナと、を備え、
前記端子収容室には、前記端子金具が前記端子収容室の正規の位置に至っていない半挿入時には前記端子金具に押されて撓み空間に変位し、前記端子金具が前記端子収容室の正規の位置に至った正規挿入時には前記撓み空間から出て前記端子金具に係止して抜け止めするランスが設けられ、
前記フロントリテーナには、前記端子金具の正規挿入時に前記撓み空間に前方から挿入されて前記ランスの係止解除方向への変位を制限する変位制限部と、半挿入状態の前記端子金具の存在を検知する検知部とが設けられ、
前記ランスの前端部に、前記端子金具の半挿入時に前記撓み空間に挿入された前記変位制限部が摺動する傾斜面が形成され、
前記検知部が、前記変位制限部と一体に形成され、前記端子金具の正規挿入時には、前記端子収容部に設けられた収容空間に収容され、前記端子金具の半挿入時には、前記変位制限部が前記傾斜面との摺動によって傾くのと一緒に傾いて前記端子収容部の壁面に接触し、前記フロントリテーナの装着動作を阻むようになっているコネクタハウジング。
【請求項２】
前記変位制限部の先端部に、前記傾斜面に摺動する傾斜面が設けられている請求項１に記載のコネクタハウジング。
【請求項３】
前記端子収容部のうち前記検知部が接触する壁面が、前記フロントリテーナの装着方向に対して略直交する突当り面とされている請求項１または請求項２に記載のコネクタハウジング。
【発明の詳細な説明】
【技術分野】
【０００１】
本発明は、コネクタハウジングに関する。
【背景技術】
【０００２】
従来、端子金具が収容される端子収容部と、端子収容部に前方から装着されるフロントリテーナと、を備えたコネクタハウジングが知られている（例えば下記特許文献１に記載）。端子収容部には、端子金具が個別に収容される端子収容室が設けられ、各端子収容室には、正規の位置まで挿入された端子金具に係止して抜け止めするランスが設けられている。ランスは、端子金具の挿入途中には端子金具に押されて撓み空間に退避し、端子金具が正規挿入されると弾性復帰して端子金具に係止する。
【０００３】
フロントリテーナには、端子金具の正規挿入時に撓み空間に挿入されてランスの撓みを制限する撓み制限部が設けられている。そして、正規の挿入位置に至っていない半挿入状態の端子金具が存在する場合には、撓み制限部が撓み空間に退避しているランスに突き当たり、これによってフロントリテーナの前進が阻まれ、半挿入状態の端子金具の存在を検知することができる。
【先行技術文献】
【特許文献】
【０００４】
【特許文献１】特開２０１４−２０３６９９号公報
【発明の概要】
【発明が解決しようとする課題】
【０００５】
しかしながら、上記のように、半挿入状態の端子金具が存在している場合に撓み制限部がランスの先端に突き当たる構成では、特にコネクタハウジングの小型化等に伴ってランスが細く形成されていると、ランスが破損してしまう虞がある。
【０００６】
本発明は上記のような事情に基づいて完成されたものであって、半挿入状態の端子金具が存在している場合にランスが破損することを防ぐことが可能なコネクタハウジングを提供することを目的とする。
【課題を解決するための手段】
【０００７】
本発明のコネクタハウジングは、端子金具が収容される端子収容室が設けられた端子収容部と、前記端子収容部に前方から装着されるフロントリテーナと、を備え、前記端子収容室には、前記端子金具が前記端子収容室の正規の位置に至っていない半挿入時には前記端子金具に押されて撓み空間に変位し、前記端子金具が前記端子収容室の正規の位置に至った正規挿入時には前記撓み空間から出て前記端子金具に係止して抜け止めするランスが設けられ、前記フロントリテーナには、前記端子金具の正規挿入時に前記撓み空間に前方から挿入されて前記ランスの係止解除方向への変位を制限する変位制限部と、半挿入状態の前記端子金具の存在を検知する検知部とが設けられ、前記ランスの前端部に、前記端子金具の半挿入時に前記撓み空間に挿入された前記変位制限部が摺動する傾斜面が形成され、前記検知部が、前記変位制限部と一体に形成され、前記端子金具の正規挿入時には、前記端子収容部に設けられた収容空間に収容され、前記端子金具の半挿入時には、前記変位制限部が前記傾斜面との摺動によって傾くのと一緒に傾いて前記端子収容部の壁面に接触し、前記フロントリテーナの装着動作を阻むようになっている。
【発明の効果】
【０００８】
本発明によれば、全ての端子金具が正規挿入状態である場合には検知部が収容空間に収容されるから、フロントリテーナをスムーズに装着でき、半挿入状態の端子金具が存在する場合には検知部が端子収容部の壁面に接触してフロントリテーナの装着動作が阻まれる。したがって、半挿入状態の端子金具が存在している場合に、変位制限部がランスの先端部に突き当たらないから、ランスの破損を妨ぐことができる。
【図面の簡単な説明】
【０００９】
【図１】本実施例におけるコネクタハウジングであって、フロントリテーナを取り外した状態を示す正面図
【図２】フロントリテーナを示す背面図
【図３】フロントリテーナを示す断面図であって、図２のＡ−Ａ位置における断面に相当する断面図
【図４】フロントリテーナが本係止位置に装着されて変位制限部が撓み空間に進入している状態を示すコネクタハウジングの断面図
【図５】フロントリテーナが本係止位置に装着されて検知部が収容空間に収容されている状態を示すコネクタハウジングの断面図
【図６】フロントリテーナが仮係止位置に装着されて変位制限部が撓み空間から退避している状態を示すコネクタハウジングの断面図
【図７】フロントリテーナが仮係止位置に装着されて検知部が収容空間の略前半部分に収容されている状態を示すコネクタハウジングの断面図
【図８】変位制限部がランスの第１傾斜面に摺動して傾いた状態を示すコネクタハウジングの断面図
【図９】検知部が傾いて突当り面に突き当たった状態を示すコネクタハウジングの断面図
【図１０】検知部が傾いて突当り面に突き当たった状態を示すコネクタハウジングの一部拡大断面図
【発明を実施するための形態】
【００１０】
本発明の好ましい形態を以下に示す。
本発明のコネクタハウジングは、前記変位制限部の先端部に、前記傾斜面に摺動する傾斜面が設けられているものとしてもよい。このような構成によれば、変位制限部の先端部がランスの前端部に引っ掛かりにくいから、端子金具の半挿入時に変位制限部とランスとにかかる負荷をより小さくすることができる。
【００１１】
また、本発明のコネクタハウジングは、前記端子収容部のうち前記検知部が接触する壁面が、前記フロントリテーナの装着方向に対して略直交する突当り面とされているものとしてもよい。このような構成によれば、半挿入状態の端子金具が存在する場合には検知部が端子収容部の突当り面に突き当たるから、フロントリテーナの装着動作を確実に阻止することができる。
【００１２】
＜実施例＞
以下、本発明を具体化した一実施例について、図１〜図１０を参照しつつ詳細に説明する。
本実施例におけるコネクタハウジングＨは合成樹脂製であって、端子金具１０が収容される端子収容部２０と、端子収容部２０に前方から装着されるフロントリテーナ３０と、を備えている。以下、各構成部材において、図示しない相手側ハウジングとの嵌合面側（図４の左側）を前方、その反対側（図４の右側）を後方とし、また、図４の上側を上方、下側を下方として説明する。
【００１３】
端子金具１０は、図示しない相手側の端子金具に挿入されて電気的に接続されるタブ部１１を有する雄型の端子金具であり、全体として前後方向に細長い形状に形成されている。端子金具１０の後端部には、電線Ｗの端末部に接続される電線接続部１３が設けられ、その前方には、ランス２３が係止する本体部１４が設けられている。そして、タブ部１１は、本体部１４の前端から前方に突出している。本体部１４は略筒状をなし、その前後方向における中間部に、後方からランス２３が係止可能なランス係止部１６が設けられている。
【００１４】
コネクタハウジングＨの端子収容部２０には、端子金具１０が個別に収容される端子収容室２１が複数設けられている。複数の端子収容室２１は、上下方向に複数段（本実施例では３段）にわけて配され、各段毎に複数の端子収容室２１が幅方向（左右方向）に並べられている。各端子収容室２１は、前後方向に細長く形成され、電線Ｗの端末部に接続された端子金具１０が後方から挿入される。端子収容部２０の前方には、相手側コネクタが嵌合可能な筒状嵌合部２２が設けられている。
【００１５】
各端子収容室２１には、図４に示すように、端子収容室２１の正規の位置に挿入された端子金具１０に係止して抜け止めをするランス２３が設けられている。ランス２３は、各端子収容室２１の下面側に設けられ、下面に沿って前方へ片持ち状に延出する延出部２３Ｅと、延出部２３Ｅの上面に突設された突出部２３Ｔとを有している。ランス２３は、後端部を支点としてその前端側が上下方向に弾性撓み可能とされている。
【００１６】
突出部２３Ｔは、延出部２３Ｅの前後方向における略中心部に設けられている。突出部２３Ｔの前面は、端子金具１０のランス係止部１６に後方から係止する係止面２４とされている。係止面２４は、挿抜方向に対して略垂直をなすように延出部２３Ｅの上面に切り立って設けられている。係止面２４は、延出部２３Ｅの前端寄りに位置している。
【００１７】
ランス２３の下方には、端子金具１０に押されたランス２３が下方に弾性変位するための撓み空間２６が設けられている。撓み空間２６は、弾性変位していない自然状態のランス２３の延出部２３Ｅと端子収容室２１の下面との間に形成される空間であり、その全体が前方に開放されている。
【００１８】
フロントリテーナ３０は合成樹脂製であり、端子収容部２０の前面側に装着されたときに端子収容部２０の前側の開放部分を塞ぐ前壁部３１を有している。前壁部３１には、フロントリテーナ３０を端子収容部２０に組み付けた状態で端子収容室２１と対応する位置に、タブ挿通口３２が貫通形成されている。このタブ挿入口を通って端子金具１０のタブ部１１が筒状嵌合部２２内に突出して配される。
【００１９】
フロントリテーナ３０には、図４に示すように、端子金具１０の正規挿入時に撓み空間２６に前方から挿入されてランス２３の係止解除方向への変位を制限する変位制限部３３が設けられている。撓み空間２６に挿入された変位制限部３３は、撓み空間２６の上下方向の略全体を埋めることが可能とされている。変位制限部３３は、前壁部３１から片持ち状をなして後方に突出している。変位制限部３３は、図２に示すように、上下方向に薄い（左右方向の幅よりも上下方向の幅が小さい）扁平な平板形状とされている。なお、変位制限部３３の上面および下面は略平行な面とされている。
【００２０】
さて、ランス２３の前端部には、図８に示すように、端子金具１０の半挿入時に前方から撓み空間２６に挿入された変位制限部３３が摺動する傾斜面（以下、第１傾斜面２５と称する）が形成されている。第１傾斜面２５は、延出部２３Ｅの上面のうち突出部２３Ｔよりも前側の部分の全体に形成されている。第１傾斜面２５は、延出部２３Ｅの前端から後方に向かって次第に上る傾斜をなしている。第１傾斜面２５は、延出部２３Ｅの全幅にわたり一定の傾斜で形成されている。なお、延出部２３Ｅの前端面（第１傾斜面２５より前側の面）は、その上端側が下端側よりも若干後方に位置するようにわずかに傾斜している。
【００２１】
そして、各変位制限部３３の先端部（後端部）には、図８に示すように、第１傾斜面２５に摺動する傾斜面（以後、第２傾斜面３４と称する）が設けられている。第２傾斜面３４は、変位制限部３３の後端部の下面に形成され、後端の角部を斜めに切り取った形態で傾く面である。第２傾斜面３４は、変位制限部３３の後端から前方に向かって次第に下がる傾斜をなしている。第２傾斜面３４は、変位制限部３３の全幅にわたり一定の勾配で形成されている。
【００２２】
また、フロントリテーナ３０には、図２および図３に示すように、半挿入状態の端子金具１０の存在を検知する検知部３５が設けられている。検知部３５は、前壁部３１から片持ち状をなして後方に突出している。検知部３５は、図２に示すように、変位制限部３３の側方に並んで設けられ、検知部３５と変位制限部３３とは、側面同士が連結された形態で一体に形成されている。検知部３５の前端部（前壁部３１との連結部）の上下方向の寸法は、他の部分に比して小さく、変位制限部３３の上下方向の寸法と同等とされている。
【００２３】
検知部３５は、図３に示すように、変位制限部３３よりも若干後方まで突出するとともに、変位制限部３３よりも上下方向の寸法が大きくされている。検知部３５は、後方から見ると、図２に示すように、左右方向の寸法よりも上下方向の寸法が大きい長方形状をなしている。検知部３５の下面は、変位制限部３３の下面と段差なく水平に連なっており、上面側が変位制限部３３よりも一段上側に突出している。検知部３５の後端面は、フロントリテーナ３０の装着方向に対して略直角な面とされている。なお、検知部３５の後面および上面の左右両側には、後端面および上端面に向かって検知部３５の幅寸法を若干狭めるようなテーパ部３６が形成されている。
【００２４】
そして、端子収容部２０には、図５に示すように、フロントリテーナ３０の検知部３５が収容される収容空間２７が設けられている。収容空間２７は、各段に並べられた端子収容室２１の間を仕切る仕切り壁２８の前端部を切り欠いて形成された形態をなしている。収容空間２７によって、隣り合うランス２３の撓み空間２６が左右方向に連通している。
【００２５】
各収容空間２７は、正規挿入された端子金具１０の本体部１４の前後方向における中心あたりまで形成されている。収容空間２７のうち略後半部分の上下方向の間隔は、検知部３５の上下方向の寸法に整合している。検知部３５の後側の部分は、収容空間２７に対して上下方向にほぼ隙間なく嵌って収容される。
【００２６】
収容空間２７の上方には、図９および図１０に示すように、検知部３５が斜め上方に傾いたときに突き当たる突当り面（端子収容部２０の壁面）２９が設けられている。突当り面２９は、前後方向（フロントリテーナ３０の装着方向）に対して略直角をなす面であり、収容空間２７の前後方向における中心よりも若干後端寄りの位置に設けられている。突当り面２９の前側には、収容空間２７から上方に広がった形態の空間が形成され、突当り面２９は前方に開放されている。
【００２７】
フロントリテーナ３０は、端子収容部２０に対して前方から組み付けられ、組み付けられたフロントリテーナ３０は、仮係止位置（図６および図７参照）と本係止位置（図４および図５参照）とに保持されるようになっている。
【００２８】
フロントリテーナ３０が仮係止位置にある状態では、図６および図７に示すように、前壁部３１が端子収容部２０の前面から前方へ退避し、変位制限部３３が撓み空間２６から前方に退避し、検知部３５が収容空間２７の略前半部分（突当り面２９よりも前方）に収容される。そして、フロントリテーナ３０が仮係止位置にある状態では、ランス２３が撓み空間２６へ変位することが可能となっている。
【００２９】
フロントリテーナ３０が本係止位置にある状態では、図４および図５に示すように、前壁部３１が端子収容部２０の前面側の開放部分に嵌合し、変位制限部３３が撓み空間２６に進入し、検知部３５が収容空間２７の奥側に入り込んで収容される。そして、フロントリテーナ３０が本係止位置にある状態では、ランス２３が撓み空間２６へ変位することが制限される。
【００３０】
次に、本実施例のコネクタハウジングＨに端子金具１０を組み付ける作業の一例を説明する。
まず、端子金具１０をコネクタハウジングＨに収容する。この際、フロントホルダを仮係止位置に保持しておく。そして、コネクタハウジングＨの後方から端子金具１０を端子収容室２１に挿入する。挿入過程では、端子金具１０の本体部１４がランス２３の突出部２３Ｔと接触してランス２３を撓み空間２６に弾性変位させる。そして、端子金具１０が正規の挿入位置に到達すると、ランス２３が弾性復帰して突出部２３Ｔの係止面２４がランス係止部１６に後方から係止する。この係止作用により、端子金具１０が一次的に抜け止めされる。そして、端子金具１０は、タブ部１１が所定の寸法だけ端子収容部２０から前方に突出した状態で保持される。このような端子金具１０の収容作業をすべての端子金具１０について順に行う。
【００３１】
次に、フロントリテーナ３０を本係止位置に移動させる。フロントリテーナ３０を後方に押し動かすと、すべての端子金具１０が正規挿入状態の場合には、図４に示すように、変位制限部３３がそれぞれ対応する撓み空間２６に進入し、図５に示すように、検知部３５がそれぞれ対応する収容空間２７に収容される。そして、フロントリテーナ３０は本係止位置に至って保持され、フロントリテーナ３０の移動が完了する。
【００３２】
ここで、半挿入状態の端子金具１０が存在する場合には、図６および図７に示すように、その端子金具１０に押されたランス２３が、撓み空間２６を塞ぐように傾いて第１傾斜面２５が前面側を向いた姿勢になっている。そして、フロントリテーナ３０を後方に押し動かすと、図８に示すように、変位制限部３３の第２傾斜面３４がランス２３の第１傾斜面２５に当接し、その傾斜によって変位制限部３３の後端部がランス２３の前端部の上側に乗り上がる。変位制限部３３が上方に傾くのと一緒に検知部３５が上方に傾き、図９に示すように、その後端面が突当り面２９の前方に対向して配され、フロントリテーナ３０を押し込む力によって突当り面２９に突き当たる。これにより、フロントリテーナ３０の装着動作が阻まれ、作業者は半挿入状態の端子金具１０の存在に気付くことができる。そして、作業者は、フロントリテーナ３０を仮係止位置に戻してから半挿入状態の端子金具１０を正規挿入位置に挿入し、フロントリテーナ３０を本係止位置に移動させる。すると、フロントリテーナ３０は本係止位置に至って保持され、フロントリテーナ３０の移動が完了する。
【００３３】
こうしてフロントリテーナ３０の本係止位置への移動が完了すると、全てのランス２３の係止解除方向への撓み変形が制限され、端子金具１０が二次的に抜け止めされた状態になる。
以上により、コネクタハウジングＨに端子金具１０を組み付ける作業が完了する。
【００３４】
次に、上記のように構成された実施例の作用および効果について説明する。
本実施例のコネクタハウジングＨは、端子金具１０が収容される端子収容室２１が設けられた端子収容部２０と、端子収容部２０に前方から装着されるフロントリテーナ３０と、を備え、端子収容室２１には、端子金具１０が端子収容室２１の正規の位置に至っていない半挿入時には、端子金具１０に押されて撓み空間２６に変位し、端子金具１０が端子収容室２１の正規の位置に至った正規挿入時には、撓み空間２６から出て端子金具１０に係止して抜け止めするランス２３が設けられ、フロントリテーナ３０には、端子金具１０の正規挿入時に撓み空間２６に前方から挿入されてランス２３の係止解除方向への変位を制限する変位制限部３３と、半挿入状態の端子金具１０の存在を検知する検知部３５とが設けられ、ランス２３の前端部に、端子金具１０の半挿入時に撓み空間２６に挿入された変位制限部３３が摺動する第１傾斜面２５が形成され、検知部３５が、変位制限部３３と一体に形成され、端子金具１０の正規挿入時には、端子収容部２０に設けられた収容空間２７に収容され、端子金具１０の半挿入時には、変位制限部３３が第１傾斜面２５との摺動によって傾くのと一緒に傾いて端子収容部２０の壁面に接触し、フロントリテーナ３０の装着動作を阻むようになっている。
【００３５】
この構成によれば、全ての端子金具１０が正規挿入状態である場合には検知部３５が収容空間２７に収容されるから、フロントリテーナ３０をスムーズに装着でき、半挿入状態の端子金具１０が存在する場合には検知部３５が端子収容部２０の壁面に接触してフロントリテーナ３０の装着動作が阻まれる。したがって、半挿入状態の端子金具１０が存在している場合に、変位制限部３３がランス２３の先端部に突き当たらないから、ランス２３の破損を妨ぐことができる。
【００３６】
また、変位制限部３３の先端部に、第１傾斜面２５に摺動する第２傾斜面３４が設けられている。この構成によれば、変位制限部３３の先端部がランス２３の第１傾斜面２５に引っ掛かりにくいから、端子金具１０の半挿入時に変位制限部３３とランス２３とにかかる負荷をより小さくすることができる。
【００３７】
また、端子収容部２０のうち検知部３５が接触する壁面が、フロントリテーナ３０の装着方向に対して略直交する突当り面２９とされている。この構成によれば、半挿入状態の端子金具１０が存在する場合には検知部３５が端子収容部２０の突当り面２９に突き当たるから、フロントリテーナ３０の装着動作を確実に阻止することができる。
【００３８】
＜他の実施例＞
本発明は上記記述及び図面によって説明した実施例に限定されるものではなく、例えば次のような実施例も本発明の技術的範囲に含まれる。
（１）上記実施例では、端子金具１０が雄型である場合について説明したが、これに限らず、端子金具は雌型であってもよい。
（２）上記実施例では、フロンリテーナの変位制限部３３と検知部３５とが側面同士を連結させた形態で一体化しているが、これに限らず、変位制限部と検知部との連結形態は、変位制限部の傾動に伴って検知部が傾動可能であればどのような形態であってもよく、例えば、変位制限部と検知部とが後端部のみで連結されてもよい。
（３）上記実施例では、変位制限部３３の先端部のうちランス２３の第１傾斜面２５に摺動する部分が第２傾斜面３４とされているが、これに限らず、変位制限部の先端部のうち第１傾斜面に摺動する部分は必ずしも傾斜面でなくてもよく、例えば角部でもよいし、また丸み部等であってもよい。
（４）上記実施例では、端子収容部２０のうち検知部３５が接触する壁面が、フロントリテーナ３０の装着方向に対して略直交する突当り面２９とされているが、これに限らず、端子収容部のうち検知部が接触する壁面は、その接触によりフロントリテーナの装着動作を阻むことが可能であればどのような壁面であってもよく、例えば、端子収容部のうち検知部が接触する壁面がフロントリテーナの装着方向に対して略平行な面であり、傾いた検知部が接触することによって生じる摩擦力でフロントリテーナの装着動作を阻むようにしてもよい。
【符号の説明】
【００３９】
Ｈ…コネクタハウジング
１０…端子金具
２０…端子収容部
２１…端子収容室
２３…ランス
２５…第１傾斜面（傾斜面）
２６…撓み空間
２７…収容空間
２９…突当り面（端子収容部の壁面）
３０…フロントリテーナ
３３…変位制限部
３４…第２傾斜面（傾斜面）
３５…検知部
【図１】
0006311597.tif 000002
【図２】
0006311597.tif 000003
【図３】
0006311597.tif 000004
【図４】
0006311597.tif 000005
【図５】
0006311597.tif 000006
【図６】
0006311597.tif 000007
【図７】
0006311597.tif 000008
【図８】
0006311597.tif 000009
【図９】
0006311597.tif 000010
【図１０】
0006311597.tif 000011